(57)【要約】【課題】初期濾過ゾーンにおいて、脱水ケーキの断片を除去するだけでなく、処理原液中に含まれている微粒子塊の付着によるスクリーンの目詰まりを好適に回避して、効率よく濾過、脱水を行うことができる回転加圧脱水機を提供する。【解決手段】回転軸周りに形成された環状の濾室内を進行させるに従って、処理原液に次第に圧力を加えて脱水処理を行う回転加圧脱水機１において、回転するスクリーン５の内側面に対してエッジ１４ａが鋭角的に接触するスクレーパ１４を多数取り付け、初期濾過ゾーンＱ１の全体において、処理原液中に含まれる微粒子塊によってスクリーン５の表面が覆われてしまうことを防止できるように構成した。【選択図】  図１
2004291036.tif 000002
【特許請求の範囲】
【請求項１】
回転軸周りに形成された環状の濾室内を進行させるに従って、処理原液に次第に圧力を加えて脱水処理を行う回転加圧脱水機において、
回転するスクリーンの内側面に対してエッジが鋭角的に接触するスクレーパを、原液供給口から１４０°の範囲内において、１つのスクリーンについて少なくとも１０枚有し、初期濾過ゾーンの全体において、処理原液中に含まれる微粒子塊によってスクリーンの表面が覆われることを防止できるように構成したことを特徴とする回転加圧脱水機。
【請求項２】
スクレーパの先端部が先細りとなっていることを特徴とする、請求項１に記載の回転加圧脱水機
【発明の詳細な説明】
【０００１】
【発明の属する技術分野】
本発明は、加工食品の原料やその半加工品、又は、汚泥等、固体物質と液体物質の混合物（処理原液）を濾過・圧縮して脱水処理を行う装置であって、特に、回転軸周りに形成された環状の濾室内を進行させるに従って、処理原液に次第に圧力を加えて脱水処理を行う回転加圧脱水機に関する。
【０００２】
【従来の技術】
回転加圧脱水機（ロータリープレスフィルタ）は、例えば、特開２００１−１１３１０９号公報に示されているように、回転軸周りに形成された環状の濾室内に処理原液を導入し、ドーナツ状のスクリーンを回転させることによって処理原液を前方へと進行させ、次第に圧力を加えて脱水処理を行う装置である。
【０００３】
図２は、従来の一般的な回転加圧脱水機１０１の断面図であり、図示されているように、処理原液は、原液供給口１０８から濾室１１０内へと導入され、回転するスクリーン１０５との間に生じる摩擦力により、濾室１１０内を所定方向（図２において矢印Ｄの方向）へ順次進行していく。
【０００４】
このとき、スクリーン１０５は多数の小孔を有しているため、処理原液が濾室１１０内を進行していくに従って、処理原液中の水分が、このスクリーン１０５の小孔を抜けて、濾室１１０外へと次第に排出されていくことになる。より具体的には、機内への導入時は液体の状態であった処理原液は、工程の約３分の１の位置（図２においてＰ１の位置）を通過するまでの間に半固形状となり、最終的には、ケーキ状（脱水ケーキ）となって、ケーキ出口１０９より機外へと排出される。
【０００５】
尚、スクリーン１０５は連続的に回転するため、初期濾過ゾーンＱ１（原液供給口１０８付近から、Ｐ１付近までのゾーン）、濾過・圧縮ゾーンＱ２（Ｐ１付近からＰ２付近までのゾーン）、最終圧搾ゾーンＱ３（Ｐ２付近からケーキ出口１０９）までのゾーン）を経て、再び初期濾過ゾーンＱ１へと戻り、処理原液或いは脱水ケーキを、進行方向へ連続的に搬送することになる。
【０００６】
【特許文献１】
特開２００１−１１３１０９号公報
【０００７】
【発明が解決しようとする課題】
ところで、最終圧搾ゾーンＱ３から初期濾過ゾーンＱ１へと戻ったスクリーン１０５の表面には、わずかに脱水ケーキが付着していることがある。これは、最終圧搾ゾーンＱ３においては、濾室１１０内の圧力が大きくなるため、圧縮された脱水ケーキの一部が、スクリーン１０５の表面に付着してしまうためである。
【０００８】
但し、初期濾過ゾーンＱ１においては、大量の濾液がスクリーン１０５の小孔を通過するため、この濾液によって、スクリーン１０５の表面が洗浄されることになり（セルフクリーニング）、従って、スクリーン１０５への脱水ケーキの付着は、ある程度解消される。
【０００９】
しかしながら、初期濾過ゾーンＱ１においては、前述の通り大量の濾液がスクリーン１０５の小孔を通過するため、処理原液中に含まれている微粒子塊が、濾液の通過に伴って、スクリーン１０５の表面に付着してしまうことがある。つまり、初期濾過ゾーンＱ１の前段部において、脱水ケーキの断片を除去したとしても、その後、スクリーン１０５が初期濾過ゾーンＱ１を通過するまでの間に、処理原液中に含まれている微粒子塊によって濾過面が覆われてしまうため、初期濾過ゾーンＱ１において、良好な濾過（脱水）効率を得ることができなかった。
【００１０】
本発明は、このような従来技術の問題点を解決すべくなされたものであって、初期濾過ゾーンにおいて、脱水ケーキの断片を除去するだけでなく、処理原液中に含まれている微粒子塊が濾過面を覆ってしまうことを好適に回避して、効率よく濾過、脱水を行うことができる回転加圧脱水機を提供することを目的とする。
【００１１】
【課題を解決するための手段】
本発明に係る回転加圧脱水機は、回転軸周りに形成された環状の濾室内を進行させるに従って、処理原液に次第に圧力を加えて脱水処理を行うものであって、回転するスクリーンの内側面に対してエッジが鋭角的に接触するスクレーパを多数取り付け、初期濾過ゾーンの全体において、処理原液中に含まれる微粒子塊によってスクリーンの表面が覆われることを防止できるように構成したことを特徴としている。
【００１２】
尚、スクレーパは、初期濾過ゾーン（即ち、原液供給口から約１２０〜１４０°の範囲）内において、１つのスクリーンについて１０枚以上（より好ましくは、１２枚以上）、均等に配置されることが好ましい。
【００１３】
また、先端部が先細りとなっているスクレーパを用いることが好ましく、この場合、多数のスクレーパを密に配置した場合でも、先端部が重ならないような構成とすることができる。
【００１４】
【発明の実施の形態】
以下、本発明の好適な実施形態について説明する。図１は、本発明の第１の実施形態に係る回転加圧脱水機１の要部拡大図である。この図において、３は内輪スペーサ、４は外輪スペーサ、５はスクリーンである。この回転加圧脱水機１は、これらの要素のほか、回転軸、隔壁板、外部ケーシング、駆動装置、制御装置等によって構成されている。
【００１５】
また、図示されているように、この回転加圧脱水機１の外輪スペーサ４には、多数のスクレーパ１４が取り付けられており、所定方向（図１において矢印Ｒの方向）へ回転するスクリーン５の内側面に付着した処理原液中の微粒子塊を好適に除去できるようになっている。
【００１６】
より具体的には、これらのスクレーパ１４は、その先端部１４ｂが内輪スペーサ３の方を指向するような向きで、基端部１４ｃを外輪スペーサ４の側面に固定することによって取り付けられており、エッジ１４ａが、スクリーン５の内側面に対し鋭角的に接触するようになっている。
【００１７】
そして、スクレーパ１４は、外輪スペーサ４の二つの側面に、それぞれ１２枚ずつ（両側で合計２４枚）取り付けられており、しかも、初期濾過ゾーンＱ１（原液供給口８から、約１２０〜１４０°の範囲のゾーン）の全体に亘って密に（外輪スペーサ４の一方の側面において、隣り合うスクレーパ１４，１４同士の間隔Ｓが、一つのスクレーパ１４の幅寸法Ｗよりも小さくなる程度に）配置されているため、前工程においてスクリーン５の表面に付着した脱水ケーキの断片を除去するだけでなく、スクリーン５の表面に付着した処理原液中の微粒子塊をも好適に除去し、スクリーン５がそれらの微粒子塊によって覆われてしまうという事態を、初期濾過ゾーンＱ１全体において好適に回避することができる。
【００１８】
尚、本実施形態においては、各スクレーパ１４の先端部１４ｂは、基端部１４ｃと比べて幅が小さく設定されている。即ち、これらのスクレーパ１４はいずれも、いわゆる「先細り」の形状となっている。従って、多数のスクレーパ１４を密に配置したとしても、先端部１４ｂ同士が重ならないように構成することができる。
【００１９】
【発明の効果】
以上に説明したように、本発明の回転加圧脱水機は、初期濾過ゾーンの全体に亘って、多数のスクレーパを配置することにより、前工程においてスクリーンに付着した脱水ケーキの断片を除去できるだけでなく、初期濾過の工程において、処理原液中に含まれる微粒子塊がスクリーンに付着した場合でも、速やかにこれを除去することができる。従って、初期濾過の工程において濾過面が微粒子塊で覆われてしまうような事態を好適に防止することができ、良好な濾過（脱水）効率を得ることができる。
【００２０】
また、先端部が先細りのスクレーパを用いた場合には、多数のスクレーパを密に配置した場合であっても、先端部が重ならないような構成とすることができる。
【図面の簡単な説明】
【図１】本発明の第１の実施形態に係る回転加圧脱水機１の要部拡大図。
【図２】従来の一般的な回転加圧脱水機１０１の断面図。
【符号の説明】
１，１０１：回転加圧脱水機、
３，１０３：内輪スペーサ、
４，１０４：外輪スペーサ、
５，１０５：スクリーン、
８，１０８：原液供給口、
１４：スクレーパ、
１４ａ：エッジ、
１４ｂ：先端部、
１４ｃ：基端部、
１０９：ケーキ出口、
１１０：濾室、
１１５：脱水ケーキの断片、
Ｑ１：初期濾過ゾーン、
Ｑ２：濾過・圧縮ゾーン、
Ｑ３：最終圧搾ゾーン、
【図１】
2004291036.tif 000003
【図２】
2004291036.tif 000004